(57)【要約】【課題】  本発明は化粧板の機能以外に装飾や照明の機能を有する化粧板を得るにある。【解決手段】  表板と裏板との間に貫通する多数個の貫通孔が形成できるように多数個のリブが一体形成された透明材製の化粧板本体と、この化粧板本体の所定部位の貫通孔に取付けられた複数個の発光ダイオード等の発光素子を用いて前記リブ方向を照明する照明装置とで化粧板を構成している。【選択図】  図２
2008214966.tif 000002
【特許請求の範囲】
【請求項１】
表板と裏板との間に貫通する多数個の貫通孔が形成できるように多数個のリブが一体形成された透明材製の化粧板本体と、この化粧板本体の所定部位の貫通孔に取付けられた複数個の発光ダイオード等の発光素子を用いて前記リブ方向を照明する照明装置とからなることを特徴とする化粧板。
【請求項２】
表板と裏板との間に貫通する多数個の貫通孔が形成できるように多数個のリブが一体形成された透明材製の化粧板本体と、この化粧板本体の所定部位の貫通孔に取付けられた基板、この基板に所定間隔で取付けられた前記リブ方向を照明する多数個の発光ダイオード等の発光素子とからなる照明装置とからなることを特徴とする化粧板。
【請求項３】
表板と裏板との間に貫通する多数個の貫通孔が並列できるように多数個のリブが一体形成された透明材製の化粧板本体と、この化粧板本体の所定部位の貫通孔に取付けられた複数個の発光ダイオード等の発光素子を用いて前記リブ方向を照明し、該化粧板本体の両端部より突出する部位に接続端子が位置する照明装置とからなることを特徴とする化粧板。
【発明の詳細な説明】
【技術分野】
【０００１】
本発明は間仕切り、室内扉、浴室扉、二重窓の室内側の窓、ディスプレイ、家具収納棚、室内階段腰板、その他室内用途に使用される化粧板に関する。
【背景技術】
【０００２】
従来、この種の化粧板はポリカーボネートを特殊技術で表板と裏板との間に貫通する多数個の貫通孔が形成できるように多数個のリブが一体形成されている。
【０００３】
このように構成された化粧板は破損の危険性が少なく、耐震性、自消性、施工性に優れているが、単に化粧板としての機能しかないという欠点があった。
【特許文献１】特になし
【発明の開示】
【発明が解決しようとする課題】
【０００４】
本発明は以上のような従来の欠点に鑑み、化粧板の機能以外に装飾や照明の機能を有する化粧板を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は表板と裏板との間に貫通する多数個の貫通孔が形成できるように多数個のリブが一体形成された透明材製の化粧板本体と、この化粧板本体の所定部位の貫通孔に取付けられた複数個の発光ダイオード等の発光素子を用いて前記リブ方向を照明する照明装置とで化粧板を構成している。
【発明の効果】
【０００７】
以上の説明から明らかなように、本発明にあっては次に列挙する効果が得られる。
【０００８】
（１）表板と裏板との間に貫通する多数個の貫通孔が形成できるように多数個のリブが一体形成された透明材製の化粧板本体と、この化粧板本体の所定部位の貫通孔に取付けられた複数個の発光ダイオード等の発光素子を用いて前記リブ方向を照明する照明装置とで構成されているので、化粧板としての機能以外に、照明機能や模様ができるように照明でき、装飾を施すことができる。
したがって、多目的に使用することができる化粧板にすることができる。
【０００９】
（２）前記（１）によって、化粧板本体の所定部位の貫通孔に照明装置を取付けるので、比較的容易に照明装置を取付けることができるとともに、化粧板本体に穴を形成したりしないので、強度の低下を防止することができる。
【００１０】
（３）前記（１）によって、照明装置に使用する多数個の発光ダイオード等の発光素子の発光は直進性が大であるため、近いリブほど明るく、発光素子の発光が当たる部位だけ照明される照明模様が形成できる。
したがって、装飾照明を施すことができ、使用分野を拡大することができる。
【００１１】
（４）請求項２も前記（１）〜（３）と同様な効果が得られるとともに、基板を用いた照明装置によって、より簡単に化粧板本体に照明装置を取付けることができる。
【００１２】
（５）請求項３も前記（１）〜（３）と同様な効果が得られるとともに、照明装置の接続が容易にできる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１は本発明の化粧板で、この化粧板１は表板２と裏板３との間に多数個の貫通孔４が形成できるように多数個のリブ５が一体形成された、アクリル、ポリカーボネート等の透明材製の化粧板本体６と、この化粧板本体６の所定部位の貫通孔４に取付けられた複数個の発光ダイオード等の発光素子７を用いて、前記リブ方向を照明する照明装置８とで構成されている。
【００１５】
前記照明装置８は前記貫通孔４へ挿入される長方形状の基板９と、この基板９に所定間隔で取付けられたリブ方向を照明する多数個の発光ダイオード等の発光素子７と、前記基板９の一端部に接続され、前記化粧板本体６の端部より外方へ突出する部位に位置する制御回路１０を介装した端子１１とで構成されている。
【００１６】
上記構成の化粧板１はパーティション、間仕切り、室内扉・浴室扉、二重窓の室内側、ディスプレイ、建具・家具収納棚、室内階段腰板、室内用途等に従来の化粧板と同様に使用されるが、照明装置８の端子１１を商用電源１２に接続することにより照明装置８の複数個の発光素子７が点灯し、リブ５方向を照明する。
この照明により、リブ５を通過するごとに光が弱くなり、かつ発光素子７からの光で直接照明される所は明るい照明となる模様状態で化粧板本体６を照明することができる。
[発明を実施するための異なる形態]
【００１７】
次に、図６ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６ないし図９に示す本発明を実施するための第２の形態において、前記本発明を実施するための最良の第１の形態と主に異なる点は、基板９の上下面に所定間隔で多数個の発光ダイオード等の発光素子７、７を取付けた照明装置８Aを用いた点で、このような照明装置８Aを用いて構成した化粧板１Aにしても、前記本発明を実施するための最良の第１の形態と同様な作用効果が得られる。
【００１９】
図１０ないし図１２に示す本発明を実施するための第３の形態において、前記本発明を実施するための最良の第１の形態と主に異なる点は、化粧板本体６の所定位置の貫通孔４、４に照明装置８、８を取付けた点で、このように構成した化粧板１Ｂ
にしても、前記本発明を実施するための最良の第１の形態と同様な作用効果が得られる。
【００２０】
図１３ないし図１５に示す本発明を実施するための第４の形態において、前記本発明を実施するための最良の第１の形態と主に異なる点は、ＲＢＧ−ＬＥＤ１３を用いた照明装置８Ｂを使用した点で、このような照明装置８Ｂを使用して構成した化粧板１Ｃにしても、前記本発明を実施するための最良の第１の形態と同様な作用効果が得られるとともに、照明の色を制御回路１０Ａで変化させて使用することもでき、より装飾効果の向上を図ることができる。
【００２１】
図１６ないし図１８に示す本発明を実施するための第５の形態において、前記本発明を実施するための最良の第１の形態と主に異なる点は、複数個の発光ダイオード等の発光素子７をコード１４を介して接続し、両端部の端子１１、１１が化粧板本体６の両端部より外方へ突出する照明装置８Ｃを用いた点で、このような照明装置８Ｃを用いて構成した化粧板１Ｄにしても、前記本発明を実施するための最良の第１の形態と同様な作用効果が得られるとともに、化粧板１Ｄを並列させて使用される場合でも照明装置８Ｃ、８Ｃの接続配線が容易にできる。
【００２２】
図１９ないし図２２に示す本発明を実施するための第６の形態において、前記本発明を実施するための最良の第１の形態と主に異なる点は、化粧板本体６の所定部位の貫通孔４が形成された部位の表面２あるいは裏面３の中央部および両側部位寄りで、該貫通孔４に貫通するように形成された中央、両側部位寄り照明灯収納孔１５、１５、１５と、この中央照明灯収納孔１５に防水可能に取付けられたコード16、1６の両端部が前記化粧板本体６の両端部より突出する先端開口部がガラス板17aで密封されたケース体１７内に基板９ＡやＬＥＤあるいはＲＢＧ−LED等の発光素子７が収納された中央照明灯１８と、前記両側部位寄り照明灯収納孔１５、１５それぞれ防水可能に取付けられ、コード1９、1９、１９、１９の両端部がそれぞれの両端部側の前記化粧板本体６の両側部より突出するケース体１７内に基板９ＡやＬＥＤあるいはＲＢＧ−LED等の発光素子７が収納された両側部位寄りの照明灯２０、２０と、この両側部位寄りの照明灯２０、２０の一方のコード1９、1９の先端部と前記中央照明灯１８のコード16、1６の先端部とを接続し、他方側の両側部位寄りの照明灯２０、２０の他方のコード1９、1９の先端部に接続されたオスコネクタ２１、２１、およびメスコネクタ２２、２２とからなる照明装置８Dを用いた点で、このような照明装置８Dを用いて構成した化粧板１Eにしても、前記本発明を実施するための最良の第１の形態と同様な作用効果が得られる。
【産業上の利用可能性】
【００２３】
本発明は化粧板を製造する産業で利用される。
【図面の簡単な説明】
【００２４】
【図１】本発明を実施するための最良の第１の形態の一部破断正面図。
【図２】図１の２−２線に沿う断面図。
【図３】図１の３−３線に沿う断面図。
【図４】本発明を実施するための最良の第１の形態の照明装置の説明図。
【図５】本発明を実施するための最良の第１の形態の照明状態の説明図。
【図６】本発明を実施するための第２の形態の一部破断正面図。
【図７】図６の７−７線に沿う断面図。
【図８】図６の８−８線に沿う断面図。
【図９】本発明を実施するための第２の形態の照明状態の説明図。
【図１０】本発明を実施するための第３の形態の一部破断正面図。
【図１１】図１０の１１−１１線に沿う断面図。
【図１２】図１０の１２−１２線に沿う断面図。
【図１３】本発明を実施するための第４の形態の一部破断正面図。
【図１４】図１３の１４−１４線に沿う断面図。
【図１５】図１３の１５−１５線に沿う断面図。
【図１６】本発明を実施するための第５の形態の一部破断正面図。
【図１７】本発明を実施するための第５の形態の平面図。
【図１８】図１６の１８−１８線に沿う断面図。
【図１９】本発明を実施するための第６の形態の正面図。
【図２０】本発明を実施するための第６の形態の側面図。
【図２１】図１９の２１−２１線に沿う拡大断面図。
【図２２】本発明を実施するための第６の形態の照明装置の配線状態を示す説明図。
【符号の説明】
【００２５】
１、１Ａ、１Ｂ、１Ｃ、１Ｄ、１E：化粧板、
２：表板、                                        ３：裏板、
４：貫通孔、                                                ５：リブ、    
６：化粧板本体、                            ７：発光ダイオード等の発光素子、
８、８Ａ、８Ｂ、８Ｃ、８D：照明装置、
９、９A：基板、                             １０、１０Ａ：制御回路、
１１：端子、                                                １２：商用電源、
１３：ＲＢＧ−ＬＥＤ、                １４：コード、
１５：照明灯収納孔            １６：コード、
１７：ケース体、              １８：中央照明灯、
１９：コード、                ２０：両側部位寄りの照明灯、
２１：オスコネクタ、          ２２：メスコネクタ。
【図１】
2008214966.tif 000003
【図２】
2008214966.tif 000004
【図３】
2008214966.tif 000005
【図４】
2008214966.tif 000006
【図５】
2008214966.tif 000007
【図６】
2008214966.tif 000008
【図７】
2008214966.tif 000009
【図８】
2008214966.tif 000010
【図９】
2008214966.tif 000011
【図１０】
2008214966.tif 000012
【図１１】
2008214966.tif 000013
【図１２】
2008214966.tif 000014
【図１３】
2008214966.tif 000015
【図１４】
2008214966.tif 000016
【図１５】
2008214966.tif 000017
【図１６】
2008214966.tif 000018
【図１７】
2008214966.tif 000019
【図１８】
2008214966.tif 000020
【図１９】
2008214966.tif 000021
【図２０】
2008214966.tif 000022
【図２１】
2008214966.tif 000023
【図２２】
2008214966.tif 000024